【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
ビットマップ画像に対して文字認識処理を実行する文字認識手段と、
前記文字認識処理の処理結果として、前記ビットマップ画像に含まれる文字列を示す情報を出力する出力手段と、
前記文字認識処理の処理結果に誤認識が含まれる可能性が高いか否かを判定する判定手段と、
前記判定手段による判定の結果に基づき、前記文字認識処理の処理結果に誤認識が含まれる可能性が高いと判定された場合は、前記文字認識処理の処理結果に前記ビットマップ画像を付加して出力し、前記文字認識処理の処理結果に誤認識が含まれている可能性が高くないと判定された場合は、前記ビットマップ画像を付加せずに前記文字認識処理の処理結果を出力するよう制御する制御手段と、
を有することを特徴とする画像処理装置。
【請求項２】
前記ビットマップ画像の少なくとも一部の領域をベクタデータに変換する変換処理を実行する変換手段を更に備え、
前記出力手段は、前記文字認識処理の処理結果を、前記変換処理により得られたベクタデータの付加情報として、当該ベクタデータに付加して出力することを特徴とする請求項１に記載の画像処理装置。
【請求項３】
ネットワークを介して接続された少なくとも第１と第２の画像処理装置を含む画像処理システムであって、
前記第１の画像処理装置は、
ビットマップ画像に対して第１の文字認識処理を実行する第１の文字認識手段と、
前記第１の文字認識処理の処理結果として、前記ビットマップ画像に含まれる文字列を示す情報を出力する出力手段と、
前記第１の文字認識処理の処理結果に誤認識が含まれる可能性が高いか否かを判定する判定手段と、
前記判定手段による判定の結果に基づき、前記第１の文字認識処理の処理結果に誤認識が含まれる可能性が高いと判定された場合は、前記第１の文字認識処理の処理結果に前記ビットマップ画像を付加して出力し、前記第１の文字認識処理の処理結果に誤認識が含まれている可能性が高くないと判定された場合は、前記ビットマップ画像を付加せずに前記第１の文字認識処理の処理結果を出力するよう制御する制御手段とを備え、
前記第２の画像処理装置は、
前記第１の画像処理装置から出力された前記第１の文字認識処理の処理結果を取得する取得手段と、
前記第１の文字認識手段と異なる文字認識能力を有する文字認識手段であって、第２の文字認識処理を実行する第２の文字認識手段とを備え、
前記第２の文字認識手段は、前記取得手段で取得した前記第１の文字認識処理の処理結果に前記ビットマップ画像が付加されている場合に、当該ビットマップ画像に対して前記第２の文字認識処理を実行することを特徴とする画像処理システム。
【請求項４】
前記第１の画像処理装置は、
前記ビットマップ画像の少なくとも一部の領域をベクタデータに変換する変換処理を実行する変換手段を更に備え、
前記出力手段は、前記文字認識処理の処理結果を、前記変換処理により得られたベクタデータの付加情報として、当該ベクタデータに付加して出力することを特徴とする請求項３に記載の画像処理システム。
【請求項５】
前記第２の画像処理装置は、
前記第２の文字認識処理を実行した後、前記第１の文字認識処理の処理結果に付加されていた前記ビットマップ画像を削除する削除手段を更に備えることを特徴とする請求項３に記載の画像処理システム。
【請求項６】
文字認識手段が、ビットマップ画像に対して文字認識処理を実行する文字認識工程と、
出力手段が、前記文字認識処理の処理結果として、前記ビットマップ画像に含まれる文字列を示す情報を出力する出力工程と、
判定手段が、前記文字認識処理の処理結果に誤認識が含まれる可能性が高いか否かを判定する判定工程と、
制御手段が、前記判定工程における判定の結果に基づき、前記文字認識処理の処理結果に誤認識が含まれる可能性が高いと判定された場合は、前記文字認識処理の処理結果に前記ビットマップ画像を付加して出力し、前記文字認識処理の処理結果に誤認識が含まれている可能性が高くないと判定された場合は、前記ビットマップ画像を付加せずに前記文字認識処理の処理結果を出力するよう制御する制御工程と、
を実行することを特徴とする画像処理方法。
【請求項７】
ネットワークを介して接続された少なくとも第１と第２の画像処理装置を含む画像処理システムにおける画像処理方法であって、
前記第１の画像処理装置において、
第１の文字認識手段が、第１の文字認識手段を用いてビットマップ画像に対して第１の文字認識処理を実行する第１の文字認識工程と、
出力手段が、前記第１の文字認識処理の処理結果として、前記ビットマップ画像に含まれる文字列を示す情報を出力する出力工程と、
判定手段が、前記第１の文字認識処理の処理結果に誤認識が含まれる可能性が高いか否かを判定する判定工程と、
制御手段が、前記判定工程における判定の結果に基づき、前記第１の文字認識処理の処理結果に誤認識が含まれる可能性が高いと判定された場合は、前記第１の文字認識処理の処理結果に前記ビットマップ画像を付加して出力し、前記第１の文字認識処理の処理結果に誤認識が含まれている可能性が高くないと判定された場合は、前記ビットマップ画像を付加せずに前記第１の文字認識処理の処理結果を出力するよう制御する制御工程とを実行し、
前記第２の画像処理装置において、
取得手段が、前記第１の画像処理装置から出力された前記第１の文字認識処理の処理結果を取得する取得工程と、
第２の文字認識手段が、前記第１の文字認識手段と異なる文字認識能力を有する第２の文字認識手段を用いて第２の文字認識処理を実行する第２の文字認識工程とを実行し、
前記第２の文字認識工程では、前記取得工程で取得した前記第１の文字認識処理の処理結果に前記ビットマップ画像が付加されている場合に、当該ビットマップ画像に対して前記第２の文字認識処理を実行することを特徴とする画像処理方法。
【請求項８】
請求項６または７に記載の画像処理方法の各ステップをコンピュータに実行させるためのプログラム。
【手続補正２】
【補正対象書類名】明細書
【補正対象項目名】発明の名称
【補正方法】変更
【補正の内容】
【発明の名称】画像処理装置、画像処理システム、画像処理方法、及びプログラム
【手続補正３】
【補正対象書類名】明細書
【補正対象項目名】０００１
【補正方法】変更
【補正の内容】
【０００１】
本発明は、画像に対して文字認識処理を実行する画像処理装置、画像処理システム、画像処理方法、及びプログラムに関するものである。
【手続補正４】
【補正対象書類名】明細書
【補正対象項目名】００１０
【補正方法】変更
【補正の内容】
【００１０】
上記目的を達成するために本発明の一態様に係る画像処理装置は以下のような構成を備える。即ち、
ビットマップ画像に対して文字認識処理を実行する文字認識手段と、
前記文字認識処理の処理結果として、前記ビットマップ画像に含まれる文字列を示す情報を出力する出力手段と、
前記文字認識処理の処理結果に誤認識が含まれる可能性が高いか否かを判定する判定手段と、
前記判定手段による判定の結果に基づき、前記文字認識処理の処理結果に誤認識が含まれる可能性が高いと判定された場合は、前記文字認識処理の処理結果に前記ビットマップ画像を付加して出力し、前記文字認識処理の処理結果に誤認識が含まれている可能性が高くないと判定された場合は、前記ビットマップ画像を付加せずに前記文字認識処理の処理結果を出力するよう制御する制御手段と、
を有することを特徴とする。
【手続補正５】
【補正対象書類名】明細書
【補正対象項目名】００１１
【補正方法】変更
【補正の内容】
【００１１】
上記目的を達成するために本発明の一態様に係る画像処理システムは以下のような構成を備える。即ち、
ネットワークを介して接続された少なくとも第１と第２の画像処理装置を含む画像処理システムであって、
前記第１の画像処理装置は、
ビットマップ画像に対して第１の文字認識処理を実行する第１の文字認識手段と、
前記第１の文字認識処理の処理結果として、前記ビットマップ画像に含まれる文字列を示す情報を出力する出力手段と、
前記第１の文字認識処理の処理結果に誤認識が含まれる可能性が高いか否かを判定する判定手段と、
前記判定手段による判定の結果に基づき、前記第１の文字認識処理の処理結果に誤認識が含まれる可能性が高いと判定された場合は、前記第１の文字認識処理の処理結果に前記ビットマップ画像を付加して出力し、前記第１の文字認識処理の処理結果に誤認識が含まれている可能性が高くないと判定された場合は、前記ビットマップ画像を付加せずに前記第１の文字認識処理の処理結果を出力するよう制御する制御手段とを備え、
前記第２の画像処理装置は、
前記第１の画像処理装置から出力された前記第１の文字認識処理の処理結果を取得する取得手段と、
前記第１の文字認識手段と異なる文字認識能力を有する文字認識手段であって、第２の文字認識処理を実行する第２の文字認識手段とを備え、
前記第２の文字認識手段は、前記取得手段で取得した前記第１の文字認識処理の処理結果に前記ビットマップ画像が付加されている場合に、当該ビットマップ画像に対して前記第２の文字認識処理を実行することを特徴とする。
【手続補正６】
【補正対象書類名】明細書
【補正対象項目名】００１２
【補正方法】削除
【補正の内容】